【手続補正書】
【提出日】平成19年7月9日(2007.7.9)
【手続補正１】
【補正対象書類名】明細書
【補正対象項目名】特許請求の範囲
【補正方法】変更
【補正の内容】
【特許請求の範囲】 
【請求項１】 
厚み寸法を有する液晶層であって、該厚み寸法における前記液晶層の第１および第２の限界範囲により境界を画定されるバルク領域を有する液晶層と、前記液晶層に液晶を配向するよう配置される第１および第２の電極構造とを含む液晶表示セルであって、前記第１および第２の電極構造が、前記厚み寸法において互いに変位され、かつ前記第１および第２の電極構造の少なくとも一方が前記バルク領域内にある液晶表示セル。 
【請求項２】 
前記第１の電極構造が前記バルク領域に隣接し、前記第２の電極構造が前記バルク領域内にある請求項１記載の液晶表示セル。 
【請求項３】 
前記第１の電極構造が、第１基板に形成されるとともに前記第１基板と前記バルク領域の間にあり、前記第２の電極構造が、前記第１基板に形成された隆起構造に形成されるとともに前記バルク領域の中に延伸する請求項２記載の液晶表示セル。 
【請求項４】 
前記隆起構造が、液晶配列のトポグラフィカル構造である請求項３記載の液晶表示セル。 
【請求項５】 
前記隆起構造が、リッジ配列で構成される請求項４記載の液晶表示セル。 
【請求項６】 
前記リッジ配列のリッジが、前記厚み寸法に平行する面を中心としてそれぞれ非対称であり、かつリッジの頂点を有する請求項５記載の液晶表示セル。 
【請求項７】 
前記隆起構造は穿孔層からなり、前記穿孔層は、前記第１の電極構造まで延在する孔配列により穿孔される請求項４記載の液晶表示セル。 
【請求項８】 
前記第１の電極構造から遠くにある前記液晶層の側の前記バルク領域に隣接して第３の電極構造をさらに備える請求項２〜７のいずれかの液晶表示セル。 
【請求項９】 
第４の電極構造をさらに含み、前記第３の電極構造が、第２基板に形成されるとともに前記第２基板と前記バルク領域の間にあり、前記第４の電極構造が、前記第２基板に形成されたさらなる隆起構造に形成されるとともに前記バルク領域の中に延伸する請求項８記載の液晶表示セル。 
【請求項１０】 
前記さらなる隆起構造が、液晶配列のトポグラフィカル構造である請求項９記載の液晶表示セル。 
【請求項１１】 
前記さらなる隆起構造が、リッジ配列で構成される請求項１０記載の液晶表示セル。 
【請求項１２】 
前記リッジ配列のリッジが、前記厚み寸法に平行する面を中心にしてそれぞれ非対称であり、かつリッジの頂点を有する請求項１１記載の液晶表示セル。 
【請求項１３】 
前記さらなる隆起構造が穿孔層からなり、該穿孔層が、前記第１の電極構造まで延在する孔配列により穿孔される請求項１０記載の液晶表示セル。 
【請求項１４】 
前記隆起構造が、液晶配列を第１の配列方向に配置するように適合され、前記さらなる隆起構造が、液晶配列を第２の配列方向に配置するように適合され、前記第１の配列方向と前記第２の配列方向とが直交する請求項１０のいずれかの液晶表示セル。 
【請求項１５】 
前記液晶層の液晶がネマチック相である、請求項１の液晶表示セル。 
【請求項１６】 
前記液晶配列が、電界が前記電極の任意の間に不在下では単安定である請求項１の液晶表示セル。 
【請求項１７】 
前記液晶配列が、電界が前記電極の任意の間に不在下では多安定である請求項１のいずれかの液晶表示セル。 
【請求項１８】 
前記液晶表示セルが、ゼニス型双安定ネマティックタイプである請求項１７記載の液晶表示セル。 
【請求項１９】 
前記液晶表示セルが、アジマス型双安定ネマティックタイプである請求項１７記載の液晶表示セル。 
【請求項２０】
厚み寸法を有する液晶層であって、該厚み寸法の方向での前記液晶層の延びを制限する第１および第２の制限により境界を定められているバルク領域を有する液晶層と、
前記液晶層内の液晶の向きを定めるために配置される第１および第２の電極構造体とを含む液晶表示セルであって、
前記第１および第２の電極構造体が互いに実質的に平行でありかつ前記厚み寸法の方向で互いにずらされ、前記第１および第２の電極構造体のうちの少なくとも１つが前記厚み寸法の方向に突出して前記バルク領域に入り込でいる液晶表示セル。
【請求項２１】  
前記第１および第２の電極構造体が、前記第１の基板内にある前記厚み寸法の方向に垂直で前記液晶層に隣接する実質的にすべての領域を含む請求項２０に記載の液晶表示セル。
【請求項２２】
前記第１の電極構造体が前記バルク領域に隣接し、前記第２の電極構造体が前記バルク領域内にある請求項２０に記載の液晶表示セル。
【請求項２３】
前記第１の電極構造体が第１の基板上に形成され、前記第１の基板と前記バルク領域との間にあり、前記第２の電極構造体が、前記第１の基板上に形成されている隆起構造体上に形成され、前記バルク領域に延びて入り込んでいる請求項２２に記載の液晶表示セル。
【請求項２４】
前記隆起構造体が、液晶配列の輪郭形態を定める構造体である請求項２３に記載の液晶表示セル。
【請求項２５】
前記隆起構造体がリッジ配列から成る請求項２４に記載の液晶表示セル。
【請求項２６】
前記リッジ配列内の前記リッジの各々が、前記厚み寸法の方向に平行でありかつリッジの頂を含む平面を中心として非対称になっている請求項２５に記載の液晶表示セル。
【請求項２７】
前記隆起構造体が穴あき層を含み、前記穴あき層が、前記第１の電極構造体まで延びる一連の穴により穴あきに形成されている請求項２４に記載の液晶表示セル。
【請求項２８】
前記液晶表示層の前記第１の電極構造体から遠いほうの側にあり前記バルク領域に隣接する第３の電極構造体をさらに備える請求項２２に記載の液晶表示セル。
【請求項２９】
第４の電極構造体をさらに備え、前記第３の電極構造体が第２の基板上に形成されかつ前記第２の基板と前記バルク領域との間にあり、前記第４の電極構造体が、前記第２の基板上に形成されかつ前記バルク領域に延びて入り込んでいるさらなる隆起構造体上に形成されている請求項２８に記載の液晶表示セル。
【請求項３０】
前記さらなる隆起構造体が、液晶配列の輪郭形態を定める構造体を含む請求項２９に記載の液晶表示セル。
【請求項３１】
前記隆起構造体が液晶配列を第１の配列方向に強制でき、前記さらなる隆起構造体が液晶配列を第２の配列方向に強制でき、前記第１の配列方向と前記第２の配列方向が互いに直交する請求項３０に記載の液晶表示セル。
【請求項３２】
前記液晶層内の前記液晶がネマチック相になっている請求項２０に記載の液晶表示セル。
【請求項３３】
厚み寸法を有する液晶層と、前記厚み寸法の方向での前記液晶層の延びを制限する第１および第２の制限により境界を定められているバルク領域と、前記厚み寸法の方向で互いにずらされている第１および第２の電極構造体とを備え、前記第１の電極構造体と前記第２の電極構造体とのうちの少なくとも１つが前記厚み寸法の方向に突出して前記バルク領域に入り込んでいる液晶表示セルのスイッチング方法において、
前記第１の電極構造体と前記第２の電極構造体との間に電圧を印加せずに、前記液晶層が第１のディレクタプロファイルにしたがって配列するステップと、
前記液晶を第２のディレクタプロファイルに再配列するのに十分な電圧を前記第１の電極構造体と前記第２の電極構造体との間に印加するステップと、
前記液晶前記第２のディレクタプロファイルにしたがって配列されると、前記第１の電極構造体と前記第２の電極構造体との間の電圧を除去するステップと
を備える方法。
【請求項３４】  
前記液晶表示セルが、前記液晶層の前記第１の電極構造体から遠いほうの側にあり前記バルク領域に隣接する第３の電極構造体をさらに備え、前記第１の電極構造体と前記第２の電極構造体と間に十分な電圧を印加するステップが、前記液晶を前記第２のディレクタプロファイルに再配列するのに十分な電圧関係を前記第１の電極構造体と前記第２の電極構造体と前記第３の電極構造体との間に確立することを含む請求項３３に記載の方法。